【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
利得可変手段を有し、当該利得可変手段によつて送信信号に対して利得調整する送信装置において、
上記利得可変手段は、
少なくとも１つ以上の入力端子と、複数の出力端子と、当該入力端子と出力端子との接続関係を切り替えるための制御端子とを有する第１の信号路選択手段と、
複数の入力端子と、少なくとも１つ以上の出力端子と、当該入力端子と出力端子との接続関係を切り替えるための制御端子とを有する第２の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の信号路と、
上記第１及び第２の信号路選択手段の制御端子に制御信号を与えることにより、当該第１及び第２の信号路選択手段内の接続関係を切り替え制御する信号路制御手段と
を具え、上記信号路制御手段によつて上記複数の信号路のうち最適な信号路を選択することにより上記第１の信号路選択手段の入力端子に供給される送信信号に対して利得調整を施すようにした
ことを特徴とする送信装置。
【請求項２】
上記複数の信号路のうち、少なくとも１つ以上の信号路に対して信号増幅手段を持たない単なる伝送線路を用いるようにした
ことを特徴とする請求項１に記載の送信装置。
【請求項３】
上記複数の信号路のうち、少なくとも１つ以上の信号路に対して減衰器で利得を変えた信号路を用いるようにした
ことを特徴とする請求項１に記載の送信装置。
【請求項４】
上記複数の信号路に遅延素子を設け、信号路間の信号遅延差を等化するようにした
ことを特徴とする請求項１乃至３に記載の送信装置。
【請求項５】
上記送信信号を周波数混合器によつて周波数変換する場合、上記利得可変手段によつて第１の周波数の送信信号に対して利得調整し、上記周波数混合器を介した第２の周波数の送信信号に対しては所定の利得可変増幅器によつて利得調整するようにした
ことを特徴とする請求項１乃至３に記載の送信装置。
【請求項６】
上記送信信号を周波数混合器によつて周波数変換する場合、当該周波数混合器の前段及び後段に上記利得可変手段を設け、第１の周波数の送信信号及び第２の周波数の送信信号に対して利得調整するようにした
ことを特徴とする請求項１乃至３に記載の送信装置。
【請求項７】
利得可変手段を有し、当該利得可変手段によつて送信信号に対して利得調整する送信装置において、
上記利得可変手段は、
複数の入力端子と、複数の出力端子と、当該入力端子と出力端子との接続関係を切り替えるための制御端子とを有する第１の信号路選択手段と、
複数の入力端子と、少なくとも１つ以上の出力端子と、当該入力端子と出力端子との接続関係を切り替えるための制御端子とを有する第２の信号路選択手段と、
少なくとも１つ以上の入力端子と、複数の出力端子と、当該入力端子と出力端子との接続関係を切り替えるための制御端子とを有する第３の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の第１の信号路と、
上記第３の信号路選択手段の複数の出力端子と上記第１の信号路選択手段の複数の入力端子とを一対一で接続し、かつフイルタ手段によつてそれぞれ異なる通過帯域特性を有する複数の第２の信号路と、
上記第１、第２及び第３の信号路選択手段の制御端子に制御信号を与えることにより、当該第１、第２及び第３の信号路選択手段内の接続関係を切り替え制御する信号路制御手段と
を具え、上記信号路制御手段によつて上記第１及び第２の信号路のうち最適な信号路を選択することにより上記第３の信号路選択手段の入力端子に供給される送信信号に対して利得調整を施すと共に、通過帯域を切り替えるようにした
ことを特徴とする送信装置。
【請求項８】
利得可変手段を有し、当該利得可変手段によつて送信信号に対して利得調整する送信装置において、
上記利得可変手段は、
少なくとも１つ以上の入力端子と、複数の出力端子と、当該入力端子と出力端子との接続関係を切り替えるための制御端子とを有する第１の信号路選択手段と、
複数の入力端子と、複数の出力端子と、当該入力端子と出力端子との接続関係を切り替えるための制御端子とを有する第２の信号路選択手段と、
複数の入力端子と、少なくとも１つ以上の出力端子と、当該入力端子と出力端子との接続関係を切り替えるための制御端子とを有する第３の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の第１の信号路と、
上記第２の信号路選択手段の複数の出力端子と上記第３の信号路選択手段の複数の入力端子とを一対一で接続し、かつフイルタ手段によつてそれぞれ異なる通過帯域特性を有する複数の第２の信号路と、
上記第１、第２及び第３の信号路選択手段の制御端子に制御信号を与えることにより、当該第１、第２及び第３の信号路選択手段内の接続関係を切り替え制御する信号路制御手段と
を具え、上記信号路制御手段によつて上記第１及び第２の信号路のうち最適な信号路を選択することにより上記第１の信号路選択手段の入力端子に供給される送信信号に対して利得調整を施すと共に、通過帯域を切り替えるようにした
ことを特徴とする送信装置。
【請求項９】
上記複数の第１の信号路のうち、少なくとも１つ以上の信号路に対して信号増幅手段を持たない単なる伝送線路を用いるようにした
ことを特徴とする請求項７又は８に記載の送信装置。
【請求項１０】
上記複数の第１の信号路のうち、少なくとも１つ以上の信号路に対して減衰器で利得を変えた信号路を用いるようにした
ことを特徴とする請求項７又は８に記載の送信装置。
【請求項１１】
上記第１、第２及び第３の信号路選択手段は、
入出力端子数が共に「２」のとき、４つのスイツチを環状に接続した環状スイツチからなり、４つの接続交点のうち対向する２つを上記入力端子とし、残り２つを上記出力端子とすることによつて１つのスイツチで当該入力端子と出力端子とを接続するようにした
ことを特徴とする請求項７又は８に記載の送信装置。
【請求項１２】
信号増幅手段によつてそれぞれ異なる利得を有する複数の信号路を予め設けておき、
上記信号路の出力側で要求されている送信信号のレベルを調べると共に、上記信号路の入力側での送信信号のレベルを調べ、
上記２つのレベルのレベル差に応じて上記信号路のうちどの信号路を選択するか判断し、
当該判断結果に応じて上記信号路を適宜選択することよつて上記送信信号に対して最適な利得調整を施すようにした
ことを特徴とする送信信号の利得調整方法。
【請求項１３】
利得可変手段を有し、当該利得可変手段によつて受信信号に対して利得調整する受信装置において、
上記利得可変手段は、
少なくとも１つ以上の入力端子と、複数の出力端子と、当該入力端子と出力端子との接続関係を切り替えるための制御端子とを有する第１の信号路選択手段と、
複数の入力端子と、少なくとも１つ以上の出力端子と、当該入力端子と出力端子との接続関係を切り替えるための制御端子とを有する第２の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の信号路と、
上記第１及び第２の信号路選択手段の制御端子に制御信号を与えることにより、当該第１及び第２の信号路選択手段内の接続関係を切り替え制御する信号路制御手段と
を具え、上記信号路制御手段によつて上記複数の信号路のうち最適な信号路を選択することにより上記第１の信号路選択手段の入力端子に供給される受信信号に対して利得調整を施すようにした
ことを特徴とする受信装置。
【請求項１４】
上記複数の信号路のうち、少なくとも１つ以上の信号路に対して信号増幅手段を持たない単なる伝送線路を用いるようにした
ことを特徴とする請求項１３に記載の受信装置。
【請求項１５】
上記複数の信号路のうち、少なくとも１つ以上の信号路に対して減衰器で利得を変えた信号路を用いるようにした
ことを特徴とする請求項１３に記載の受信装置。
【請求項１６】
上記複数の信号路に遅延素子を設け、信号路間の信号遅延差を等化するようにした
ことを特徴とする請求項１３乃至１５に記載の受信装置。
【請求項１７】
上記受信信号を周波数混合器によつて周波数変換する場合、上記利得可変手段によつて第１の周波数の受信信号に対して利得調整し、上記周波数混合器を介した第２の周波数の受信信号に対しては所定の利得可変増幅器によつて利得調整するようにした
ことを特徴とする請求項１３乃至１５に記載の受信装置。
【請求項１８】
上記受信信号を周波数混合器によつて周波数変換する場合、当該周波数混合器の前段及び後段に上記利得可変手段を設け、第１の周波数の受信信号及び第２の周波数の受信信号に対して利得調整するようにした
ことを特徴とする請求項１３乃至１５に記載の受信装置。
【請求項１９】
上記受信信号を周波数混合器によつて周波数変換する場合、当該周波数混合器の前段及び後段に上記利得可変手段を設け、第１の周波数の受信信号及び第２の周波数の受信信号に対して利得調整し、
かつ上記第２の周波数の受信信号に対して利得調整する上記利得可変手段については、複数の信号路のうち少なくとも１つ以上の信号路に対して信号増幅手段を持たない単なる伝送線路を用いるようにした
ことを特徴とする請求項１３乃至１５に記載の受信装置。
【請求項２０】
上記受信信号を周波数混合器によつて周波数変換する場合、当該周波数混合器の前段及び後段に上記利得可変手段を設け、第１の周波数の受信信号及び第２の周波数の受信信号に対して利得調整し、
かつ上記第２の周波数の受信信号に対して利得調整する上記利得可変手段については、複数の信号路のうち少なくとも１つ以上の信号路に対して減衰器で利得を変えた信号路を用いるようにした
ことを特徴とする請求項１３乃至１５に記載の受信装置。
【請求項２１】
利得可変手段を有し、当該利得可変手段によつて受信信号に対して利得調整する受信装置において、
上記利得可変手段は、
複数の入力端子と、複数の出力端子と、当該入力端子と出力端子との接続関係を切り替えるための制御端子とを有する第１の信号路選択手段と、
複数の入力端子と、少なくとも１つ以上の出力端子と、当該入力端子と出力端子との接続関係を切り替えるための制御端子とを有する第２の信号路選択手段と、
少なくとも１つ以上の入力端子と、複数の出力端子と、当該入力端子と出力端子との接続関係を切り替えるための制御端子とを有する第３の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の第１の信号路と、
上記第３の信号路選択手段の複数の出力端子と上記第１の信号路選択手段の複数の入力端子とを一対一で接続し、かつフイルタ手段によつてそれぞれ異なる通過帯域特性を有する複数の第２の信号路と、
上記第１、第２及び第３の信号路選択手段の制御端子に制御信号を与えることにより、当該第１、第２及び第３の信号路選択手段内の接続関係を切り替え制御する信号路制御手段と
を具え、上記信号路制御手段によつて上記第１及び第２の信号路のうち最適な信号路を選択することにより上記第３の信号路選択手段の入力端子に供給される受信信号に対して利得調整を施すと共に、通過帯域を切り替えるようにした
ことを特徴とする受信装置。
【請求項２２】
利得可変手段を有し、当該利得可変手段によつて受信信号に対して利得調整する受信装置において、
上記利得可変手段は、
少なくとも１つ以上の入力端子と、複数の出力端子と、当該入力端子と出力端子との接続関係を切り替えるための制御端子とを有する第１の信号路選択手段と、
複数の入力端子と、複数の出力端子と、当該入力端子と出力端子との接続関係を切り替えるための制御端子とを有する第２の信号路選択手段と、
複数の入力端子と、少なくとも１つ以上の出力端子と、当該入力端子と出力端子との接続関係を切り替えるための制御端子とを有する第３の信号路選択手段と、
上記第１の信号路選択手段の複数の出力端子と上記第２の信号路選択手段の複数の入力端子とを一対一で接続し、かつ信号増幅手段によつてそれぞれ異なる利得を有する複数の第１の信号路と、
上記第２の信号路選択手段の複数の出力端子と上記第３の信号路選択手段の複数の入力端子とを一対一で接続し、かつフイルタ手段によつてそれぞれ異なる通過帯域特性を有する複数の第２の信号路と、
上記第１、第２及び第３の信号路選択手段の制御端子に制御信号を与えることにより、当該第１、第２及び第３の信号路選択手段内の接続関係を切り替え制御する信号路制御手段と
を具え、上記信号路制御手段によつて上記第１及び第２の信号路のうち最適な信号路を選択することにより上記第１の信号路選択手段の入力端子に供給される受信信号に対して利得調整を施すと共に、通過帯域を切り替えるようにした
ことを特徴とする受信装置。
【請求項２３】
上記複数の第１の信号路のうち、少なくとも１つ以上の信号路に対して信号増幅手段を持たない単なる伝送線路を用いるようにした
ことを特徴とする請求項２１又は２２に記載の受信装置。
【請求項２４】
上記複数の第１の信号路のうち、少なくとも１つ以上の信号路に対して減衰器で利得を変えた信号路を用いるようにした
ことを特徴とする請求項２１又は２２に記載の受信装置。
【請求項２５】
上記第１、第２及び第３の信号路選択手段は、
入出力端子数が共に「２」のとき、４つのスイツチを環状に接続した環状スイツチからなり、４つの接続交点のうち対向する２つを上記入力端子とし、残り２つを上記出力端子とすることによつて１つのスイツチで当該入力端子と出力端子とを接続するようにした
ことを特徴とする請求項２１又は２２に記載の受信装置。
【請求項２６】
上記第１及び又は第２の信号路に遅延素子を設け、信号路間の信号遅延差を等化するようにした
ことを特徴とする請求項２１又は２２に記載の受信装置。
【請求項２７】
信号増幅手段によつてそれぞれ異なる利得を有する複数の信号路を予め設けておき、
上記信号路の入力側に供給される受信信号の信号レベルを調べ、調べた信号レベルに基づいて、上記信号路の出力側に所望の信号レベルの受信信号が出力されるように上記信号路を適宜選択することにより、上記受信信号に対して最適な利得調整を施すようにした
ことを特徴とする受信信号の利得調整方法。